(57)【要約】【課題】ドップラセンサにより手を正確に検知し、吐水部材からの吐水を的確に制御することが可能となる洗面設備を提供する。【解決手段】壁面Ｗに洗面器２０が固定金具１９によって固定されている。この洗面器２０の鉢面２１の水は、排水口２２、排水管２３を介して排出される。この排出口２２は洗面器２０の左右方向の中央に配置されている。水栓２９に対しては、壁給水管２５、止水栓２６、電磁弁２７及び接続配管２８を介して水道水が供給される。洗面器２０の左半側の下方に電磁弁２７のコントローラ３０が設置されている。このコントローラ３０にドップラセンサ８が設けられている。このドップラセンサ８からの検知信号に基づいてコントローラ３０から制御信号がハーネス３２を介して電磁弁２７に送られ、電磁弁２７が開閉する。【選択図】  図４
2004232282.tif 000002
【特許請求の範囲】
【請求項１】
鉢と、該鉢内に吐水する吐水部材と、該吐水部材の使用者を検出するためのドップラセンサとを有し、該ドップラセンサの人体検知信号に基づいて該吐水部材から吐水が行われる洗面設備において、
該ドップラセンサが該鉢の下側に配置されていることを特徴とする洗面設備。
【請求項２】
請求項１において、ドップラセンサは鉢の下面に取り付けられていることを特徴とする洗面設備。
【請求項３】
請求項１において、該鉢の下方に延在する配管が設けられており、
該配管に前記ドップラセンサが取り付けられていることを特徴とする洗面設備。
【請求項４】
請求項１において、該吐水部材に連なり該鉢の下方に延在する給水用の配管が設けられると共に、該配管に弁装置が設けられており、
該弁装置に前記ドップラセンサが設けられていることを特徴とする洗面設備。
【請求項５】
請求項１ないし４のいずれか１項において、該ドップラセンサは、前記吐水部材の吐水口からの吐水が前記鉢内面に落下する位置よりも前方に配置されていることを特徴とする洗面設備。
【請求項６】
請求項１ないし４のいずれか１項において、前記吐水部材の吐水口は該鉢の左右方向の略中央に配置されており、該ドップラセンサは該吐水口の鉛直下方位置よりも左側又は右側に配置されていることを特徴とする洗面設備。
【請求項７】
請求項１ないし４のいずれか１項において、前記吐水部材の吐水口は該鉢の左右方向の一方の側に配置されており、該ドップラセンサは他方の側に配置されていることを特徴とする洗面設備。
【請求項８】
請求項１ないし７のいずれか１項において、該ドップラセンサは、鉢の前半側に向けてマイクロ波を照射することを特徴とする洗面設備。
【発明の詳細な説明】
【０００１】
【発明の属する技術分野】
本発明は、使用者の手等を検知して水栓などの吐水部材から吐水を行うようにした自動吐水式の洗面設備に係り、特にドップラセンサによって使用者を検知するようにした洗面設備に関する。なお、本発明において、鉢は洗面鉢、手洗鉢などのいずれであってもよい。
【０００２】
【従来の技術】
人体の手などをセンサによって検知し、この検知信号に基づいて自動的に吐水、止水を行うようにした自動水栓は既に広く用いられている。従来の自動水栓としては、赤外線や超音波による人体検知センサを吐水口の近傍に設けたものが多い。かかる自動水栓は、センサを備える分だけ嵩が大きい。
【０００３】
特開平９−８０１５０号公報の００５２段落には、洗面シンクの後部裏面にドップラセンサを設け、このドップラセンサの検知信号に基づいて水栓の開栓、閉栓を自動的に行うことにより、水栓にセンサを設けることを不要とし、水栓を小型化することが記載されている。
【０００４】
【特許文献１】
特開平９−８０１５０号公報
【０００５】
【発明が解決しようとする課題】
上記特開平９−８０１５０号公報のようにシンクの後部裏面にドップラセンサを配置した場合、水栓から吐出する水が、ドップラセンサと、差し出された手との間に介在して誤検知の原因となるおそれがある。
【０００６】
本発明は、水栓等の吐水部材からの吐出水がドップラセンサによる検知の外乱要素となることが無く、高精度にて吐水、止水作動させることができる洗面設備を提供することを目的とする。
【０００７】
【課題を解決するための手段】
本発明の洗面設備は、鉢と、該鉢内に吐水する吐水部材と、該吐水部材の使用者を検出するためのドップラセンサとを有し、該ドップラセンサの人体検知信号に基づいて該吐水部材から吐水が行われる洗面設備において、該ドップラセンサが該鉢の下側に配置されていることを特徴とするものである。
【０００８】
かかる洗面設備にあっては、ドップラセンサから照射されたマイクロ波が使用者の手等に反射して戻り、これにより使用者の手等が検知され、この検知信号に基づいて、吐水部材からの吐水、止水が制御される。このようにドップラセンサを鉢の下側に配置した場合、鉢の前半側に向ってマイクロ波を照射させることにより、吐水部材からの吐水がドップラセンサによって検知されにくくなり、ドップラセンサの検知精度が高くなる。
【０００９】
このドップラセンサを吐水部材の吐水口からの吐水が前記鉢内面に落下する位置よりも前方に配置した場合には、吐水部材からの吐水はドップラセンサの検知動作に殆ど全く影響を与えない。
【００１０】
なお、洗面器や手洗器にあっては、水栓等の吐水部材の吐水口は、鉢の左右方向の略中央に配置されることがある。
【００１１】
このように吐水部材の吐水口が鉢の左右方向の略中央に配置されているときには、ドップラセンサを該吐水口の鉛直下方位置よりも左側又は右側に片寄らせて配置することにより、ドップラセンサの検知に吐水が影響することが十分に防止される。
【００１２】
また、吐水部材の吐水口が鉢の左右方向の一方の側に配置されているときには、ドップラセンサを他方の側に配置することによりドップラセンサの検知に吐水が影響することが十分に防止される。
【００１３】
このドップラセンサは、鉢の下面に接着剤や取付部材によって取り付けられてもよい。このようにすれば、鉢の下側スペースを収納スペースに利用する場合、ドップラセンサが収納物の邪魔になりにくくなる。
【００１４】
また、吐水部材に連なる給水管や排水管等の配管が鉢の下方に延設されている場合には、この配管にドップラセンサを取り付けてもよい。給水用の配管に弁装置が設けられているときには、この弁装置にドップラセンサを設けてもよい。
【００１５】
本発明では、ドップラセンサとしては被検知物までの距離を測定する２周波ＣＷ方式のものが好適である。この２周波ＣＷ方式のドップラセンサは、周知の通り、周波数が僅かに異なる２つのＣＷ（コヒーレント波）を用いるものである。
【００１６】
【発明の実施の形態】
以下、図面を参照して実施の形態について説明する。図１（ａ），（ｂ）は実施の形態に係る洗面設備の側面図と平面図、図２は別の実施の形態に係る洗面設備の側面図、図３はさらに別の実施の形態に採用されるドップラセンサの設置構造図（斜視図）、図４（ａ），（ｂ），（ｃ）は異なる実施の形態に係る洗面設備を示す平面図、正面図及び側面図である。
【００１７】
図１（ａ）の通り、衛生設備室の壁面Ｗに陶器製の洗面器１がビス等の固定金具（図示略）によって取り付けられている。なお、この実施の形態では洗面器１が壁面Ｗに取り付けられているが、洗面キャビネットや洗面カウンターなどに該洗面器１が設置されていてもよい。
【００１８】
この洗面器１の鉢面１ａの水を排出するための排水口１ｂに排水管２（図１では図示略、図２参照。）が接続されている。
【００１９】
この洗面器１の後部上面に吐水部材３が設置されており、その吐水口３ａが洗面器１の鉢内に臨んでいる。この吐水部材３は、既存の水栓であってもよく、新設の水栓であってもよい。この吐水部材３は、弁機能を有しない単なる管状部材であってもよい。
【００２０】
この吐水部材３には、給水用の配管４、止水栓５、バルブユニット６、配管７を介して水が供給可能とされている。このバルブユニット６に２周波ＣＷ方式のドップラセンサ８が取り付けられている。このバルブユニット６は、該ドップラセンサ８からの信号を処理するためのコントローラと、このコントローラによって開閉制御される電磁弁等からなるバルブ本体と、これらを収容したケーシングとを備えている。前記ドップラセンサ８はこのケーシングに取り付けられている。なお、ケーシングが合成樹脂などマイクロ波透過性材料よりなる場合には、ドップラセンサ８はケーシング内に配置されてもよい。
【００２１】
このドップラセンサ８付きのバルブユニット６は、洗面器１の中央よりも右方に配置されており、ドップラセンサ８も図１（ｂ）の通り洗面器８の右側に片寄って配置されている。
【００２２】
排水口１ｂ及び吐水部材３は洗面器１の左右方向の中央に配置されている。従って、ドップラセンサ８は吐水口３ａの鉛直下方位置よりも右側に片寄って配置されている。
【００２３】
このドップラセンサ８は、マイクロ波を洗面器１の前半側に向って照射する。
【００２４】
このように構成された洗面設備において、洗面器１の鉢内に手を差し出すと、手までの距離がドップラセンサ８で検知され、この検知距離が所定値以内になるとバルブユニット６のバルブ本体が開弁し、吐水口３ａから吐水が開始する。手を引込めると、バルブ本体が閉弁し、止水される。
【００２５】
この洗面設備にあっては、ドップラセンサ８を洗面器１の下方でしかも右側に片寄って配置し、マイクロ波を洗面器１の前半側に向って照射しているので、ドップラセンサ８が吐水口３ａからの吐水を検知することが無く、手を確実に検知することができる。また、この実施の形態ではドップラセンサ８をバルブユニット６に設けているので、バルブユニット６を取り付けることによりドップラセンサ８の設置も行われることになり、ドップラセンサ８の洗面器１等への取付作業が不要である。
【００２６】
なお、図１では給水用の配管４は床面Ｆから立ち上っているが、壁面Ｗから引き出されていてもよい。
【００２７】
図１では、ドップラセンサ８はバルブユニット６に設けられているが、図２のようにバルブユニット６Ａとドップラセンサ８とが別体とされてもよい。図２では、ドップラセンサ８は洗面器１の底面のうち排水口１ｂからの吐水が前記鉢内面に落下するよりも前方位置に接着剤によって取り付けられており、このドップラセンサ８の検知信号がハーネス（図示略）を介してバルブユニット６Ａ内のコントローラに入力されるよう構成されている。このバルブユニット６Ａは、ドップラセンサ８が設けられていないこと以外は前記バルブユニット６と同一構造のものである。
【００２８】
なお、ドップラセンサ８は取付部材（例えば平面ファスナ）によって洗面器１に取り付けられてもよい。
【００２９】
このように構成された洗面設備においても、鉢内に手を差し出すとバルブユニット６Ａのバルブ本体が開弁し、吐水部材３の吐水口３ａから吐水が行われ、手を引込めると止水する。
【００３０】
この実施の形態では、ドップラセンサ８の設置位置を任意に選定できるので、排水口１ｂ、排水管２あるいは吐水口３ａの位置に応じて手の検知に好適な部位にドップラセンサ８を配置することができる。
【００３１】
本発明では、ドップラセンサ８は、排水管２や、図３のように給水用の配管７に取り付けられてもよい。図３では、配管７に取付部材１０が固着され、この取付部材１０にドップラセンサ８が取り付けられている。この取付部材１０は、ヒンジ１１によって開閉自在とされた１対の半片１３，１３によって配管７を挟み、ボルト１２を締め込んで固定されている。ただし、取付部材はこれ以外の構造であってもよい。
【００３２】
図４は、コントローラと電磁弁とを別個に設けた実施の形態に係る洗面設備を示している。
【００３３】
壁面Ｗに洗面器２０がビス等の固定金具１９によって固定されている。この洗面器２０の鉢面２１の水は、排水口２２、排水管２３を介して排出される。この排水口２２は洗面器２０の左右方向の中央に配置されている。
【００３４】
洗面器１の奥部の右側に水栓２９が設けられている。この水栓２９はハンドル２９ａによって開閉栓される手動式の単水栓である。ハンドル２９ａは、通常は全開とされている。
【００３５】
この水栓２９に対しては、壁給水管２５、止水栓２６、電磁弁２７及び接続配管２８を介して水道水が供給される。
【００３６】
洗面器２０に正対した状態で洗面器２０の左半側の下方に電磁弁２７のコントローラ３０が設置されている。この実施の形態では、コントローラ３０は壁面Ｗに取り付けられているが、床面Ｆに取り付けられてもよい。また、排水管２３にブラケットを取り付け、このブラケットにコントローラ３０を支持させてもよい。
【００３７】
このコントローラ３０にドップラセンサ８が設けられている。このドップラセンサ８は、マイクロ波を洗面器２０の前半側に向って照射する。このドップラセンサ８からの検知信号に基づいてコントローラ３０から制御信号がハーネス３２を介して電磁弁２７に送られ、電磁弁２７が開閉する。
【００３８】
この実施の形態では水石鹸入れ３３が洗面器２０の上方に設置されているが、省略されてもよい。
【００３９】
この実施の形態においても、ドップラセンサ８は水栓２９からの吐水の影響を受けることなく、手を正確に検知することができる。
【００４０】
上記実施の形態はいずれも本発明の一例であり、本発明は図示以外の形態をもとりうる。例えば、洗面器の代りに手洗器が用いられてもよい。また、水栓はレバーハンドルを有するものであってもよい。
【００４１】
水栓は湯水混合水栓であってもよい。この場合、バルブユニットや電磁弁は給水管と給湯管の双方に設ける。
【００４２】
【発明の効果】
以上の通り、本発明によると、ドップラセンサにより手を正確に検知し、吐水部材からの吐水を的確に制御することが可能となる。
【図面の簡単な説明】
【図１】実施の形態に係る洗面設備の側面図と平面図である。
【図２】別の実施の形態に係る洗面設備の側面図である。
【図３】さらに別の実施の形態に採用されるドップラセンサの設置構造図（斜視図）である。
【図４】異なる実施の形態に係る洗面設備を示す平面図、正面図及び側面図である。
【符号の説明】
１，２０  洗面器
２  排水管
３  吐水部材
３ａ  吐水口
５，２６  止水栓
６，６Ａ  バルブユニット
８  ドップラセンサ
２７  電磁弁
２９  水栓
３０  コントローラ
【図１】
2004232282.tif 000003
【図２】
2004232282.tif 000004
【図３】
2004232282.tif 000005
【図４】
2004232282.tif 000006